(57)【要約】【課題】照明負荷の可動状態を報知しつつ、電源スイッチの小型化及び長寿命化を図る。【解決手段】交流電源ＡＣと照明負荷Ｌとの間に挿入されて主回路１０を構成するトライアック２と一端で接続する１組の抵抗３を備えている。この１組の抵抗３の他端側には、交流電源ＡＣからの電圧が１組の抵抗３で電圧降下されて印加される弱電回路１１が設けられている。この弱電回路１１内には、電源スイッチ４とＬＥＤ５０とが直列に接続している。電源スイッチ４は、両端間の電気的な接続の開閉を行うことによってＳＢＳ６をオン状態にし、さらにトライアック２をオン状態にして照明負荷Ｌを可動させるものである。ＬＥＤ５０は照明負荷Ｌの可動状態を報知するものである。【選択図】図１
2008053189.tif 000002
【特許請求の範囲】
【請求項１】
交流電源と照明負荷との間に挿入されて主回路を構成するトライアックと、
前記トライアックの主端子の一方と一端で接続する第１の抵抗と、
前記第１の抵抗の他端側に設けられ前記交流電源からの電圧が当該第１の抵抗で電圧降下されて印加される弱電回路と
を備えるとともに、
前記照明負荷の可動状態を報知するＬＥＤと、
前記ＬＥＤと直列に接続し両端間の電気的な接続の開閉を行うことによって前記トライアックを閉状態とし前記照明負荷を可動させる電源スイッチと
を前記弱電回路内に備えることを特徴とする調光スイッチ。
【請求項２】
主端子間に印加される電圧とゲートに印加される対照電圧との電圧差がブレークオーバ電圧を超えると前記トライアックをターンオンさせるゲート電流を当該トライアックのゲートに出力するＳＢＳと、
前記第１の抵抗の他端と前記トライアックの主端子の他方との間に設けられ両端電圧に基づく電圧が前記ＳＢＳの前記主端子間に印加される電圧となる第１のコンデンサと、
前記第１のコンデンサと直列回路を形成し抵抗値を可変することによって当該第１のコンデンサの充電速度を調節するボリュームと、
前記第１の抵抗の他端と前記ＳＢＳのゲートとの間に設けられ第２の抵抗とダイオードとを有する直列回路であり前記ＳＢＳのゲートに前記対照電圧を印加する対照電圧発生回路と、
前記ＳＢＳのゲートと前記トライアックの主端子の他方との間に挿入された第２のコンデンサと
を前記弱電回路内に備えることを特徴とする請求項１記載の調光スイッチ。
【請求項３】
前記電源スイッチ及び前記ボリュームとして３路スイッチ付ボリュームを備えることを特徴とする請求項２記載の調光スイッチ。
【請求項４】
前記電源スイッチが、押操作によって押駆動し両端間の電気的な接続の開閉を切り替える第１の押しボタンを有するプッシュスイッチであり、前記ボリュームが、押操作によって押駆動する第２の押しボタンと、前記第２の押しボタンを支持する固定軸部とを有するプッシュスイッチ付ボリュームであって、
前記プッシュスイッチ及び前記プッシュスイッチ付ボリュームを前記第１の押しボタンと前記第２の押しボタンとの押駆動方向が同一方向となるように収納する器体を備えるとともに、
前記第２の押しボタンと前記押駆動方向で対向する操作面部と、前記操作面部の端部から延設された側面部と、前記側面部の端部から延設され前記第１の押しボタンと前記押駆動方向で対向するスカート部とを有し、前記操作面部が前記器体の一の面から露出するように当該器体に収納され、前記押駆動方向の押操作によって前記第１の押しボタン及び前記第２の押しボタンに対して押駆動するハンドルを備える
ことを特徴とする請求項２記載の調光スイッチ。
【請求項５】
前記プッシュスイッチ付ボリュームの第２の押しボタンと前記ハンドルの操作面部との間に設けられた弾性体を備えることを特徴とする請求項４記載の調光スイッチ。
【請求項６】
前記ハンドルが、前記プッシュスイッチ付ボリュームの第２の押しボタンと対向する位置に設けられ前記弾性体を収納する収納部を有することを特徴とする請求項５記載の調光スイッチ。
【請求項７】
前記ハンドルが、前記操作面部から前記プッシュスイッチ付ボリュームの固定軸部の周囲に向かって延設された軸受けを有することを特徴とする請求項４〜６のいずれか記載の調光スイッチ。
【請求項８】
前記器体が、前記一の面から内方に突出して設けられた器体側リブを有し、
前記ハンドルが、前記スカート部の端部から延設され前記器体側リブの内面と接触するハンドル側リブを有する
ことを特徴とする請求項４〜７のいずれか記載の調光スイッチ。
【請求項９】
前記器体が、前記一の面から内方に突出して設けられた器体側リブを有し、
前記ハンドルが、断面Ｕ字状に形成されて前記スカート部の端部から延設され前記器体側リブの外面と接触するハンドル側リブを有する
ことを特徴とする請求項４〜７のいずれか記載の調光スイッチ。
【請求項１０】
前記ハンドル側リブと前記器体側リブとが線接触することを特徴とする請求項８又は９記載の調光スイッチ。
【発明の詳細な説明】
【技術分野】
【０００１】
本発明は、照明負荷を調光する調光スイッチに関するものである。
【背景技術】
【０００２】
従来、照明負荷を調光する調光スイッチの一例として、図１０に示すような、交流電源ＡＣと照明負荷Ｌとの間に挿入されて主回路９０を形成するトライアック９１と、トライアック９１をターンオンさせるための回路９２と、主回路９０内に挿入された電源スイッチ９３と、電源スイッチ９３と並列に接続し照明負荷Ｌの可動状態を報知するＬＥＤ９４とを備える調光スイッチ９が知られている。この調光スイッチ９は、電源スイッチ９３がオン状態（閉状態）になると照明負荷Ｌが点灯し、電源スイッチ９３がオフ状態（開状態）になると照明負荷Ｌが消灯し、ＬＥＤ９４が点灯する。
【０００３】
また、従来の調光スイッチの他の例として、特許文献１には、交流電源の一端及び照明器具（照明負荷）の一端と接続する１対の端子と、１対の端子間に挿入されたトライアックと、１対の端子間に挿入されたネオンランプと、トライアック及びネオンランプと直列に接続しトライアックへの通電とネオンランプへの通電とを切り替えるスイッチ（電源スイッチ）とを備える調光スイッチが開示されている。この特許文献１の調光スイッチは、スイッチがトライアック側に切り替えられると照明器具が点灯し、スイッチがネオンランプ側に切り替えられると照明器具が消灯し、ネオンランプが点灯する。
【特許文献１】特開平１１−１６２２４８号公報（段落００１４及び第２図）
【発明の開示】
【発明が解決しようとする課題】
【０００４】
しかしながら、これら従来の調光スイッチの電源スイッチは、高電圧が印加される主回路内に挿入されているので、許容電圧を高くする必要があった。一般的に許容電圧が高くなるにつれて電源スイッチが大型となることから、従来の調光スイッチには、ＬＥＤによって照明負荷の可動状態を報知することができるものの、電源スイッチが大型になってしまうという問題があった。このため、従来の調光スイッチにおいて、他の素子を配置するスペースが小さくなり、例えば大型となる高容量のインバータを用いることができず、小型である低容量のものを用いなければならなかった。
【０００５】
また、従来の調光スイッチには、高電圧が印加される主回路で電源スイッチが電気的な接続の開閉を行うと電源スイッチの電気的なストレスが大きくなることから、電源スイッチの寿命が短くなってしまうという問題もあった。
【０００６】
本発明は上記の点に鑑みて為されたものであり、その目的とするところは、照明負荷の可動状態を報知しつつ、電源スイッチの小型化及び長寿命化を図ることができる調光スイッチを提供することにある。
【課題を解決するための手段】
【０００７】
請求項１の発明は、交流電源と照明負荷との間に挿入されて主回路を構成するトライアックと、前記トライアックの主端子の一方と一端で接続する第１の抵抗と、前記第１の抵抗の他端側に設けられ前記交流電源からの電圧が当該第１の抵抗で電圧降下されて印加される弱電回路とを備えるとともに、前記照明負荷の可動状態を報知するＬＥＤと、前記ＬＥＤと直列に接続し両端間の電気的な接続の開閉を行うことによって前記トライアックを閉状態とし前記照明負荷を可動させる電源スイッチとを前記弱電回路内に備えることを特徴とする。
【０００８】
請求項２に記載の発明は、請求項１の発明において、主端子間に印加される電圧とゲートに印加される対照電圧との電圧差がブレークオーバ電圧を超えると前記トライアックをターンオンさせるゲート電流を当該トライアックのゲートに出力するＳＢＳと、前記第１の抵抗の他端と前記トライアックの主端子の他方との間に設けられ両端電圧に基づく電圧が前記ＳＢＳの前記主端子間に印加される電圧となる第１のコンデンサと、前記第１のコンデンサと直列回路を形成し抵抗値を可変することによって当該第１のコンデンサの充電速度を調節するボリュームと、前記第１の抵抗の他端と前記ＳＢＳのゲートとの間に設けられ第２の抵抗とダイオードとを有する直列回路であり前記ＳＢＳのゲートに前記対照電圧を印加する対照電圧発生回路と、前記ＳＢＳのゲートと前記トライアックの主端子の他方との間に挿入された第２のコンデンサとを前記弱電回路内に備えることを特徴とする。
【０００９】
請求項３の発明は、請求項２の発明において、前記電源スイッチ及び前記ボリュームとして３路スイッチ付ボリュームを備えることを特徴とする。
【００１０】
請求項４の発明は、請求項２の発明において、前記電源スイッチが、押操作によって押駆動し両端間の電気的な接続の開閉を切り替える第１の押しボタンを有するプッシュスイッチであり、前記ボリュームが、押操作によって押駆動する第２の押しボタンと、前記第２の押しボタンを支持する固定軸部とを有するプッシュスイッチ付ボリュームであって、前記プッシュスイッチ及び前記プッシュスイッチ付ボリュームを前記第１の押しボタンと前記第２の押しボタンとの押駆動方向が同一方向となるように収納する器体を備えるとともに、前記第２の押しボタンと前記押駆動方向で対向する操作面部と、前記操作面部の端部から延設された側面部と、前記側面部の端部から延設され前記第１の押しボタンと前記押駆動方向で対向するスカート部とを有し、前記操作面部が前記器体の一の面から露出するように当該器体に収納され、前記押駆動方向の押操作によって前記第１の押しボタン及び前記第２の押しボタンに対して押駆動するハンドルを備えることを特徴とする。
【００１１】
請求項５の発明は、請求項４の発明において、前記プッシュスイッチ付ボリュームの第２の押しボタンと前記ハンドルの操作面部との間に設けられた弾性体を備えることを特徴とする。
【００１２】
請求項６の発明は、請求項５の発明において、前記ハンドルが、前記プッシュスイッチ付ボリュームの第２の押しボタンと対向する位置に設けられ前記弾性体を収納する収納部を有することを特徴とする。
【００１３】
請求項７の発明は、請求項４〜６のいずれかの発明において、前記ハンドルが、前記操作面部から前記プッシュスイッチ付ボリュームの固定軸部の周囲に向かって延設された軸受けを有することを特徴とする。
【００１４】
請求項８の発明は、請求項４〜７のいずれかの発明において、前記器体が、前記一の面から内方に突出して設けられた器体側リブを有し、前記ハンドルが、前記スカート部の端部から延設され前記器体側リブの内面と接触するハンドル側リブを有することを特徴とする。
【００１５】
請求項９の発明は、請求項４〜７のいずれかの発明において、前記器体が、前記一の面から内方に突出して設けられた器体側リブを有し、前記ハンドルが、断面Ｕ字状に形成されて前記スカート部の端部から延設され前記器体側リブの外面と接触するハンドル側リブを有することを特徴とする。
【００１６】
請求項１０の発明は、請求項８又は９の発明において、前記ハンドル側リブと前記器体側リブとが線接触することを特徴とする。
【発明の効果】
【００１７】
請求項１の発明によれば、電源スイッチ及びＬＥＤを主回路内に備える場合と比べて、電源スイッチの許容電力を小さくすることができるので、ＬＥＤによって照明負荷の可動状態を報知しつつ、電源スイッチを小型にすることができる。また、電源スイッチの電気的な接続の開閉を主回路内で切り替えるより弱電回路内で切り替えるほうが電源スイッチの電気的なストレスを低減することができるので、電源スイッチ及びＬＥＤを主回路内に備える場合と比べて、電源スイッチの長寿命化を図ることができる。
【００１８】
請求項２の発明によれば、トライアックが任意のタイミングで電気的な接続の開閉を行うことによる照明負荷のちらつきを低減することができる。
【００１９】
請求項３の発明によれば、電源スイッチとボリュームを１個の素子にすることができるので、電源スイッチとボリュームを別個の素子として備える場合と比べて小型にすることができる。
【００２０】
請求項４の発明によれば、プッシュスイッチ付ボリュームのプッシュスイッチ機能を電源スイッチとして用いることができない場合であっても、電源スイッチとしてプッシュスイッチを用い、ハンドルへの押操作によってプッシュスイッチの電気的な接続の開閉を切り替えることができる。
【００２１】
請求項５の発明によれば、プッシュスイッチの第１の押しボタンの操作ストロークがプッシュスイッチ付ボリュームの第２の押しボタンと同じであっても、プッシュスイッチの電気的な接続の開閉を確実に切り替えることができる。
【００２２】
請求項６の発明によれば、使用者がハンドルを用いてプッシュスイッチ付ボリュームの第２の押しボタンを押したときに、ハンドルのがたつきを低減することができる。
【００２３】
請求項７の発明によれば、使用者がハンドルを用いてプッシュスイッチ付ボリュームの第２の押しボタンを押したときに、ハンドルのがたつきをより低減することができ、端押しを確実に行うことができる。
【００２４】
請求項８の発明によれば、使用者がハンドルを用いてプッシュスイッチ付ボリュームの第２の押しボタンを押したときに、ハンドルのがたつきをさらに低減することができ、端押しをさらに確実に行うことができる。また、プッシュスイッチ付ボリュームの固定軸部から離れた位置にハンドル側リブ及び器体側リブを有することによってハンドルを傾かないようにすることができる。
【００２５】
請求項９の発明によれば、使用者がハンドルを用いてプッシュスイッチ付ボリュームの第２の押しボタンを押したときに、ハンドルのがたつきをさらに低減することができ、端押しをさらに確実に行うことができる。
【００２６】
請求項１０の発明によれば、ハンドル側リブと器体側リブとが面接触する場合と比べて接触面積を小さくすることによって、ハンドルと器体との間に発生する摩擦を低減することができるので、使用者によるハンドルの操作を滑らかにすることができる。
【発明を実施するための最良の形態】
【００２７】
（実施形態１）
まず、本発明の実施形態１に係る調光スイッチ１の構成について図１，２を用いて説明する。この調光スイッチ１は、図１に示す照明負荷Ｌを調光するものであり、交流電源ＡＣと照明負荷Ｌとの間に挿入されて主回路１０を構成するトライアック２と、トライアック２の主端子の一方（端子２３）と一端（図１の左端）で接続する１組の抵抗３と、１組の抵抗３の他端（図１の右端）とトライアック２の主端子の他方（端子２４）との間に設けられた弱電回路１１とを備えている。交流電源ＡＣは例えば１００Ｖの商用電源などである。また、照明負荷Ｌは例えば蛍光灯や白熱球などである。
【００２８】
トライアック２は例えばシリコンなどの半導体で形成され、端子２０，２１及びフィルタ用のインダクタ２２を介して交流電源ＡＣ及び照明負荷Ｌと直列に接続し、ゲート電流に応じて２つの端子２３，２４間の電気的な接続の開閉を切り替えるものである。トライアック２及びインダクタ２２にはフィルタ用のコンデンサ２５が並列に接続されている。
【００２９】
１組の抵抗３は、２つの抵抗３０，３１が並列に接続されて構成するものである。各抵抗３０，３１の抵抗値は限定されるものではないが、好ましい範囲は５０ｋΩ〜６０ｋΩ（例えば５６ｋΩ）である。上記より、１組の抵抗３は交流電源ＡＣからの交流電圧を電圧降下させている。
【００３０】
また、調光スイッチ１は弱電回路１１内に、両端間の電気的な接続の開閉を行う電源スイッチ４と、電源スイッチ４と直列に接続し照明負荷Ｌの可動状態を報知するＬＥＤ回路５と、トライアック２をターンオンさせるゲート電流をトライアック２のゲートに出力する双方向スイッチング素子（以下「ＳＢＳ」という）６とを備えている。弱電回路１１の許容電圧は交流電源ＡＣからの交流電圧より低い電圧（例えば１８Ｖ以下）である。そして、弱電回路１１には、１組の抵抗３で電圧降下した交流電圧が印加される。
【００３１】
電源スイッチ４は両端間がオフ状態となることによって、トライアック２をオン状態（閉状態）とし、照明負荷Ｌを可動させる。これに対して、両端間がオン状態となることによって、トライアック２をオフ状態（開状態）とし、照明負荷Ｌを停止させる。
【００３２】
ＬＥＤ回路５は、ＬＥＤ５０と、ＬＥＤ５０に並列に接続されたダイオード５１とを備えている。ＬＥＤ５０とダイオード５１とは互いに逆向きになるように接続されている。ＬＥＤ５０は電源スイッチ４がオン状態になると電流が流れて点灯する。
【００３３】
ＳＢＳ６は、抵抗６０を介して時定数回路６１と一端（図１の右端）で接続し、トライアック２のゲートと他端（図１の左端）で接続している。時定数回路６１は、１組の抵抗３の他端（図１の右端）とトライアック２の端子２４との間に設けられた回路であり、両端電圧が抵抗６０で電圧降下してＳＢＳ６に印加される電圧となるコンデンサ６１０と、それぞれが並列に接続してコンデンサ６１０と直列回路を形成するボリューム（可変抵抗）６１１，６１２とを備えている。各ボリューム６１１，６１２の最大抵抗値は例えば１００ｋΩである。２つのボリューム６１１，６１２はそれぞれの抵抗値を可変することによってコンデンサ６１０の充電速度を調節する。具体的には、ボリューム６１１，６１２の抵抗値が大きくなるとコンデンサ６１０の充電速度が遅くなり、ボリューム６１１，６１２の抵抗値が小さくなるとコンデンサ６１０の充電速度が速くなる。
【００３４】
また、弱電回路１１内には、時定数回路６１と並列に接続された定電圧回路６２が設けられている。定電圧回路６２は、２つのツェナーダイオード６２０，６２１がそれぞれの向きを逆にして直列に接続するものである。この定電圧回路６２によって時定数回路６１の両端電圧を一定にすることができるので、交流電源ＡＣからの交流電圧が変動した場合であっても、コンデンサ６１０の両端電圧への影響を低減することができる。
【００３５】
さらに、ＳＢＳ６のゲートと１組の抵抗３の他端（図１の右端）との間には、抵抗６３０とダイオード６３１とを有する直列回路である対照電圧発生回路６３が設けられている。対照電圧発生回路６３は、電源スイッチ４がオフ状態になるとＳＢＳ６のゲートに対照電圧を印加する。
【００３６】
ＳＢＳ６は、図１に示すように、コンデンサ６１０の両端電圧から抵抗６０で電圧降下された電圧と対照電圧との電圧差がブレークオーバ電圧を超えるとオン状態（閉状態）になり、トライアック２をターンオンさせるのに必要な大きさのゲート電流をトライアック２のゲートに出力する。上記ゲート電流が出力されると、トライアック２がオン状態（閉状態）になり、交流電源ＡＣから１組の抵抗３に流れていた負荷電流が交流電源ＡＣからトライアック２に流れるようになる。
【００３７】
ＳＢＳ６のゲートとトライアック２の端子２４との間にはコンデンサ６４が挿入されている。ここで、実施形態１に係る調光スイッチ１のようにコンデンサ６４を備えている場合と、比較例としてコンデンサ６４を備えていない場合について図２を用いて説明する。図２において、（ｄ）が定電圧回路６２のツェナー電圧、（ｅ）がＳＢＳ６の対照電圧、（ｆ）が照明負荷Ｌの両端電圧を示している。まず、コンデンサ６４を備えていない場合、図２（ａ）に示すように、ＳＢＳ６の対照電圧（図２（ａ）の（ｅ））が定電圧回路６２のツェナー電圧（図２（ａ）の（ｄ））より高くなることがある（図２（ａ）のＴ）。このため、ＳＢＳ６がオン状態になりトライアック２がオン状態になることによって照明負荷Ｌが予定外に点灯してしまうという現象が発生し（図２（ａ）の（ｆ））、使用者が要望する調光ができなくなってしまう。
【００３８】
これに対して、実施形態１に係る調光スイッチ１のようにコンデンサ６４を備えている場合、図２（ｂ）に示すように、ＳＢＳ６の対照電圧（図２（ｂ）の（ｅ））をなまらせることによって、コンデンサ６４を備えていない場合のようなＳＢＳ６の対照電圧が定電圧回路６２のツェナー電圧（図２（ｂ）の（ｄ））より高くなることを防止することができるので、ＳＢＳ６がオン状態になりトライアック２がオン状態になることによる照明負荷Ｌの予定外の点灯を防止することができる（図２（ｂ）の（ｆ））。
【００３９】
次に、実施形態１に係る調光スイッチ１の動作について図１を用いて説明する。まず、交流電源ＡＣから照明負荷Ｌへの電力供給を行わない場合について説明する。電源スイッチ４をオン状態に切り替えると、交流電源ＡＣからの交流電流がＬＥＤ５０とダイオード５１とを極性ごとに切り替えて流れることによってＬＥＤ５０が点灯する。このとき、コンデンサ６１０は充電されないのでＳＢＳ６が導通せず、トライアック２のゲートにはゲート電流が流れない。トライアック２がオフ状態（開状態）になるので、交流電源ＡＣから照明負荷Ｌに対して点灯するのに十分な電力が供給されない。上記より、ＬＥＤ５０の点灯によって照明負荷Ｌが停止状態であることを使用者に報知することができる。
【００４０】
続いて、交流電源ＡＣから照明負荷Ｌへの電力供給を行う場合について説明する。電源スイッチ４をオフ状態に切り替えると、ＬＥＤ５０に電流が流れないので、ＬＥＤ５０が消灯する。このとき、交流電源ＡＣからの交流電流がボリューム６１１，６１２を介してコンデンサ６１０に流れる。コンデンサ６１０に流れた電流によってコンデンサ６１０が充電され、コンデンサ６１０の両端電圧が高くなっていく。上記の動作とは別に、対照電圧発生回路６３が対照電圧をＳＢＳ６に印加する。その後、両端電圧から抵抗６０で電圧降下された電圧と対照電圧との電圧差がＳＢＳ６のブレークダウン電圧を超えるとＳＢＳ６がオン状態になり、トライアック２のゲートにゲート電流が入力される。これにより、トライアック２がオン状態になり、交流電源ＡＣから照明負荷Ｌに対して点灯するのに十分な電力が供給される。上記より、照明負荷Ｌを可動させることができる。また、ＬＥＤ５０の消灯によって照明負荷Ｌが可動状態であることを使用者に報知することができる。
【００４１】
次に、実施形態１に係る調光スイッチ１による照明負荷Ｌの調光について説明する。照明負荷Ｌを調光するためにはボリューム６１１，６１２の抵抗値を調整する。具体的には、ボリューム６１１，６１２の抵抗値を大きくしてコンデンサ６１０の充電速度を遅くさせると、ＳＢＳ６がオン状態になりトライアック２がオン状態になるまでに長い時間を要する。これにより、照明負荷Ｌの点灯時間が短くなるので、明るさを抑えることができる。これに対して、ボリューム６１１，６１２の抵抗値を小さくしてコンデンサ６１０の充電速度を速くさせると、ＳＢＳ６がオン状態になりトライアック２がオン状態になるまでの時間が短くなる。これにより、照明負荷Ｌの点灯時間が長くなるので、明るくすることができる。
【００４２】
以上、実施形態１によれば、電源スイッチ４及びＬＥＤ５０を弱電回路１１内に備えることによって、電源スイッチ４及びＬＥＤ５０を主回路１０内に備える場合と比べて、電源スイッチ４の許容電力を小さくすることができるので、ＬＥＤ５０によって照明負荷Ｌの可動状態を報知しつつ、電源スイッチ４を小型にすることができる。また、電源スイッチ４の電気的な接続の開閉を主回路１０内で切り替えるより弱電回路１１内で切り替えるほうが電源スイッチ４の電気的なストレスを低減することができるので、電源スイッチ４及びＬＥＤ５０を主回路１０内に備える場合と比べて、電源スイッチ４の長寿命化を図ることができる。
【００４３】
さらに、コンデンサ６４を備えることによって、トライアック２が任意のタイミングで電気的な接続の開閉を行うことによる照明負荷Ｌのちらつきを低減することができる。
【００４４】
（実施形態２）
本発明の実施形態２に係る調光スイッチ１ａの構成について図１，３を用いて説明する。この調光スイッチ１ａは、図１，３に示すように、トライアック２と、１組の抵抗３と、電源スイッチ４と、ＬＥＤ回路５とを実施形態１の調光スイッチ１（図１参照）と同様に備えているが、実施形態１の調光スイッチ１にはない以下に記載の特徴部分を有する。なお、図３のａ、ｂ及びｃは図１のａ、ｂ及びｃで１組の抵抗３の他端並びにトライアック２のゲート及び端子２４と接続する。
【００４５】
調光スイッチ１ａは、実施形態１のＳＢＳ６に代えて図３に示すようなダイアック６ａを備えている。ダイアック６ａは実施形態１のＳＢＳ６と同様に、抵抗６０を介して時定数回路６１と一端（図３の右端）で接続し、トライアック２（図１参照）のゲートと他端（図３の左端）で接続している。このダイアック６ａは、コンデンサ６１０の両端電圧から抵抗６０で電圧降下された電圧がブレークオーバ電圧を超えるとオン状態（閉状態）になり、トライアック２をターンオンさせるのに必要な大きさのゲート電流をトライアック２のゲートに出力する。上記ゲート電流が出力されると、実施形態１と同様に、交流電源ＡＣから１組の抵抗３に流れていた負荷電流が交流電源ＡＣからトライアック２に流れるようになる。なお、調光スイッチ１ａは実施形態１の調光スイッチ１と異なり、対照電圧発生回路６３を備えていない。
【００４６】
以上、実施形態２によれば、ＳＢＳ６をダイアック６ａに代えた構成であっても、実施形態１と同様に、電源スイッチ４及びＬＥＤ５０を主回路１０内に備える場合と比べて、電源スイッチ４の小型化及び長寿命化を図ることができる。また、対照電圧発生回路６３（図１参照）を必要としないので、ＳＢＳ６を備える場合と比べて回路構成を簡単にすることができる。
【００４７】
（実施形態３）
本発明の実施形態３に係る調光スイッチ１ｂの構成について図１，４を用いて説明する。この調光スイッチ１ｂは、図１，４に示すように、トライアック２と、１組の抵抗３と、ＬＥＤ回路５と、ＳＢＳ６と、定電圧回路６２と、対照電圧発生回路６３と、コンデンサ６４とを実施形態１の調光スイッチ１（図１参照）と同様に備えているが、実施形態１の調光スイッチ１にはない以下に記載の特徴部分を有する。なお、図４のａ、ｂ及びｃは図１のａ、ｂ及びｃで１組の抵抗３の他端並びにトライアック２のゲート及び端子２４と接続する。
【００４８】
調光スイッチ１ｂは、実施形態１の電源スイッチ４及びボリューム６１１，６１２（図１参照）に代えて図４に示すような３路スイッチ付ボリューム７を備えている。３路スイッチ付ボリューム７のボリューム機能７０は時定数回路６１ａに設けられ実施形態１のボリューム６１１，６１２（図１参照）として用いられ、３路スイッチ機能７１は実施形態１の電源スイッチ４（図１参照）として用いられる。３路スイッチ付ボリューム７は、ボリューム機能７０と３路スイッチ機能７１とが互いに干渉せずに独立して動作するものであってもよいし、３路スイッチ機能７１において端子７１０と端子７１１とが導通しているときにボリューム機能７０が動作し、端子７１０と端子７１２とが導通しているときにはボリューム機能７０が停止するものであってもよい。
【００４９】
以上、実施形態３によれば、実施形態１の電源スイッチ４とボリューム６１１，６１２を１個の素子（３路スイッチ付ボリューム７）にすることができるので、実施形態１のように電源スイッチ４とボリューム６１１，６１２（図１参照）を別個の素子として備える場合と比べて小型にすることができる。また、ＬＥＤ５０に電流が流れるように３路スイッチ付ボリューム７の３路スイッチ機能７１を切り替えることによって、実施形態１と同様にＬＥＤ５０が点灯する。さらに、例えばオフスイッチ付のロータリスイッチではオン状態でしかボリューム機能を動作することができないので電源スイッチとボリュームとを兼用することができないが、３路スイッチ付ボリューム７では兼用することができる。
【００５０】
（実施形態４）
まず、本発明の実施形態４に係る調光スイッチ１ｃの構成について図５，６を用いて説明する。この調光スイッチ１ｃは、実施形態１の調光スイッチ１（図１参照）と同様に、トライアック２と、１組の抵抗３と、ＬＥＤ回路５と、ＳＢＳ６と、定電圧回路６２と、対照電圧発生回路６３と、コンデンサ６４とを備えているが、実施形態１の調光スイッチ１にはない以下に記載の特徴部分を有する。
【００５１】
図５に示すように、調光スイッチ１ｃの電源スイッチはプッシュスイッチ４ａであり、ボリュームはプッシュスイッチ付ボリューム６５である。プッシュスイッチ４ａは弱電回路用のものであり、押操作によって押駆動し両端間の電気的な接続の開閉を切り替える押しボタン４０を備えている。一般的に許容電圧が大きくなるにつれて電源スイッチは大型となる。これにより、強電回路用のプッシュスイッチより小型にすることができるので、強電回路用のプッシュスイッチを備える場合と比べて、全体の大きさを変えることなく配線モジュール内で他の部品を配置するスペースを拡大することができる。配線モジュール内のスペースが拡大されることによって、例えば従来よりも大型である高容量タイプのインダクタを用いることができる。
【００５２】
プッシュスイッチ付ボリューム６５は、押操作によって押駆動する押しボタン６５０と、押しボタン６５０を支持する固定軸部６５１とを備えている。このプッシュスイッチ付ボリューム６５は、プッシュスイッチ機能がオン状態である場合に抵抗値を可変することができ、オフ状態である場合には抵抗値を可変することができないものである。このような場合、プッシュスイッチ付ボリューム６５のプッシュスイッチ機能を電源スイッチとして兼用することができないので、電源スイッチとしてプッシュスイッチ４ａを別途備えている。
【００５３】
また、調光スイッチ１ｃは、外径寸法が既製の埋込型の配線器具（例えば、日本工業規格（ＪＩＳ）で規定された大角形連用配線器具（ＪＩＳ  Ｃ８３０４参照））の２個モジュール寸法に形成された器体８０を備えている。器体８０は、開口が形成された箱状のボディ８１及びカバー８２から構成されている。ボディ８１は側面部８１０に複数の係止突起８１１，８１１を備えている。
【００５４】
カバー８２は、前面部８２０と、前面部８２０の端部から後方に延設された側面部８２１と、側面部８２１の端部から後方に延設された複数の係止片８２２，８２２と、前面部８２０の裏面から内方に突出して設けられた円筒状の器体側リブ８２３（図６（ａ）参照）とを一体に備えている。前面部８２０の中央には、後述のハンドル８５の操作面部８５０を外部に露出させる露出窓８２４が形成され、前面部８２０の左下部には、ＬＥＤ５０を外部に露出させるＬＥＤ窓８２５が形成されている。また、各係止片８２２には係止孔８２６が形成されている。さらに、カバー８２は、ハンドル８５が図６（ａ）のＸ軸方向に移動できるように露出窓８２４の下方にスペース８２７を確保している。
【００５５】
器体８０は、図５に示すボディ８１の係止突起８１１とカバー８２の係止孔８２６とが係止することによって、プッシュスイッチ４ａ及びプッシュスイッチ付ボリューム６５を、２つの押しボタン４０，６５０の押駆動方向が同一方向となるように収納する。
【００５６】
さらに、調光スイッチ１ｃは、プッシュスイッチ４ａ及びプッシュスイッチ付ボリューム６５を含む基板ブロック８３と、基板ブロック８３を覆うトライアックブロック８４と、プッシュスイッチ４ａ及びプッシュスイッチ付ボリューム６５の前面側に設けられたハンドル８５と、プッシュスイッチ付ボリューム６５の押しボタン６５０とハンドル８５の操作面部８５０との間に設けられたばね８６とを器体８０に収納して備えている。
【００５７】
基板ブロック８３はプリント基板８３０を備えている。このプリント基板８３０には、プッシュスイッチ４ａ及びプッシュスイッチ付ボリューム６５のそれぞれの押しボタン４０，６５０が同一の押駆動方向（図５のＸ軸方向）となるように、プッシュスイッチ４ａ及びプッシュスイッチ付ボリューム６５が実装されている。
【００５８】
ハンドル８５は、図６（ａ）に示すように、押しボタン６５０の押駆動方向（図６（ａ）のＸ軸方向）で一部が上記押しボタン６５０と対向する円板状の操作面部８５０と、操作面部８５０の外周縁から下方に延設された円筒状の側面部８５１と、側面部８５１の下端から外方に延設され押しボタン４０の押駆動方向（図６（ａ）のＸ軸方向）で一部が上記押しボタン４０と対向する円環状のスカート部８５２と、スカート部８５２の外周縁から下方に延設された円筒状のハンドル側リブ８５３と、操作面部８５０からプッシュスイッチ付ボリューム６５の固定軸部６５１の周囲に向かって延設された軸受け８５４とを備えている。ハンドル側リブ８５３の外周面は器体側リブ８２３の内周面と接触している。
【００５９】
また、操作面部８５０の中の押しボタン６５０と対向する位置には、ばね８６を収納する収納部８５５が設けられている。この収納部８５５には、外周が円状となる凹部８５６が形成され、下端が操作面部８５０の裏面の通常位置（図６（ａ）の破線位置）より下方になるように凹部８５６の底面から突出する円柱状の突出部８５７が設けられている。このような凹部８５６と突出部８５７とを組み合わることによって、凹部８５６が形成されることなく操作面部８５０の裏面から突出部８５７が突出して設けられた場合と比べて、調光スイッチ１ｃ全体における図６（ａ）のＸ軸方向の大きさを大きくすることなく、ばね８６を収納するのに十分なスペースを図６（ａ）のＸ軸方向に確保することができる。なお、凹部８５６は操作面部８５０全体に対して一部分であるので、操作面部８５０の強度が急激に低下することはない。
【００６０】
このような構造のハンドル８５は、操作面部８５０がカバー８２の前面部８２０から外部に露出するように器体８０に収納され、使用者による押駆動方向（図６（ａ）の下方向）の押操作によって押しボタン４０，６５０に対して押駆動する。なお、ハンドル８５によって押駆動された場合に、プッシュスイッチ４ａがオン状態になるときにプッシュスイッチ付ボリューム６５がオフ状態になり、プッシュスイッチ４ａがオフ状態になるときにプッシュスイッチ付ボリューム６５がオン状態になるように、プッシュスイッチ４ａ及びプッシュスイッチ付ボリューム６５を事前に調整しておく。
【００６１】
次に、実施形態４に係る調光スイッチ１ｃの動作について、ばね８６を備えていない場合とともに図６を用いて説明する。なお、プッシュスイッチ４ａ及びプッシュスイッチ付ボリューム６５における２つの押しボタン４０，６５０の操作ストロークは同じ距離である。まず、ばね８６を備えていない場合、通常時においてハンドル８５の操作面部８５０とプッシュスイッチ付ボリューム６５の押しボタン６５０とは当接しているが、ハンドル８５のスカート部８５２とプッシュスイッチ４ａの押しボタン４０とは離隔している。このような状態でハンドル８５に押操作を行うと押しボタン６５０が押駆動し、さらに押操作を行うと押しボタン６５０が完全に押された状態となる。このとき、プッシュスイッチ４ａの押しボタン４０も押駆動していくが、通常時にスカート部８５２と離隔しているので、押しボタン６５０が完全に押された状態であっても、押しボタン４０は必ずしも完全に押された状態とならない可能性がある。このため、プッシュスイッチ４ａの電気的な接続の開閉が切り替わらないという事態が発生する。
【００６２】
これに対して、実施形態４に係る調光スイッチ１ｃのようにばね８６を備えている場合、図６（ａ）に示すように、通常時においてハンドル８５がばね８６の付勢力によって上方に位置している。つまり、ハンドル８５の操作面部８５０とばね８６の上端とが接触し、プッシュスイッチ付ボリューム６５の押しボタン６５０とばね８６の下端とが接触している。このとき、ハンドル８５のスカート部８５２とプッシュスイッチ４ａの押しボタン４０とは離隔している。このような状態でハンドル８５に図６（ａ）の下向きに押操作を行うと、最初、ハンドル８５がばね８６の付勢力に逆らって下方向に駆動するものの、ばね８６が縮むことによって押しボタン６５０が押駆動されない、又はばね８６を備えていない場合と比べて押駆動される距離が短い。さらに押操作を行うと、押しボタン６５０が押駆動されて完全に押された状態となる（図６（ｂ）参照）。一方、押しボタン４０は押しボタン６５０が押駆動される前からスカート部８５２によって押駆動されるので、押しボタン６５０が完全に押されたときには完全に押された状態となる（図６（ｂ）参照）。これにより、プッシュスイッチ４ａの電気的な接続の開閉を確実に切り替えることができる。
【００６３】
以上、実施形態４によれば、プッシュスイッチ付ボリューム６５のプッシュスイッチ機能を電源スイッチとして用いることができない場合であっても、電源スイッチとしてプッシュスイッチ４ａを用い、ハンドル８５への押操作によってプッシュスイッチ４ａの電気的な接続の開閉を切り替えることができる。
【００６４】
また、ばね８６を備えることによって、プッシュスイッチ４ａの押しボタン４０の操作ストロークがプッシュスイッチ付ボリューム６５の押しボタン６５０と同じであっても、プッシュスイッチ４ａの電気的な接続の開閉を確実に切り替えることができる。
【００６５】
さらに、ハンドル８５が、ばね８６の収納部８５５及び軸受け８５４を備えることによって、使用者がハンドル８５を用いてプッシュスイッチ付ボリューム６５の押しボタン６５０を押したときに、ハンドル８５のがたつきを低減することができ、端押しを確実に行うことができる。また、プッシュスイッチ付ボリューム６５の固定軸部６５１から離れた位置にハンドル側リブ８５３及び器体側リブ８２３を備えることによっても、上記と同様にハンドル８５のがたつきをさらに低減することができ、端押しをさらに確実に行うことができるとともに、ハンドル８５を傾かないようにすることができる。
【００６６】
（実施形態５）
まず、本発明の実施形態５に係る調光スイッチ１ｄの構成について図７〜９を用いて説明する。この調光スイッチ１ｄは、実施形態１の調光スイッチ１（図１参照）と同様に、トライアック２と、１組の抵抗３と、ＬＥＤ回路５と、ＳＢＳ６と、定電圧回路６２と、対照電圧発生回路６３と、コンデンサ６４とを備えているが、実施形態１の調光スイッチ１にはない以下に記載の特徴部分を有する。
【００６７】
図７に示すように、調光スイッチ１ｄの電源スイッチはプッシュスイッチ４ｂであり、ボリュームはプッシュスイッチ付ボリューム６５ａである。プッシュスイッチ４ｂは弱電回路用のものであり、押操作によって押駆動し両端間の電気的な接続の開閉を切り替える押しボタン４０ａを備えている。これにより、強電回路用のプッシュスイッチを備える場合と比べて、配線モジュール内で他の部品を配置するスペースを拡大することができる。
【００６８】
プッシュスイッチ付ボリューム６５ａは、押操作によって押駆動する押しボタン６５０ａと、押しボタン６５０ａを支持する固定軸部６５１ａとを備えている。このプッシュスイッチ付ボリューム６５ａは、プッシュスイッチ機能がオン状態である場合に抵抗値を可変することができ、オフ状態である場合には抵抗値を可変することができないものである。このような場合、プッシュスイッチ付ボリューム６５ａのプッシュスイッチ機能を電源スイッチとして兼用することができないので、電源スイッチとしてプッシュスイッチ４ｂを別途備えている。
【００６９】
また、調光スイッチ１ｄは、外径寸法が既製の埋込型の配線器具（例えば、日本工業規格（ＪＩＳ）で規定された大角形連用配線器具（ＪＩＳ  Ｃ８３０４参照））の１個モジュール寸法に形成された器体８０ａを備えている。器体８０ａは、開口が形成された箱状のボディ８１ａ及びカバー８２ａから構成されている。ボディ８１ａの側面部８１０ａには係止孔８１２が形成されている。
【００７０】
カバー８２ａは、前面部８２０ａと、前面部８２０ａの端部から後方に延設された側面部８２１ａと、側面部８２１ａの端部から後方に延設された係止片８２２ａと、前面部８２０ａの裏面から内方に突出して設けられた円筒状の器体側リブ８２３ａ（図８（ａ）参照）とを一体に備えている。前面部８２０ａの中央には、後述のハンドル８５ａの操作面部８５０ａを外部に露出させる露出窓８２４ａが形成され、前面部８２０ａの右上部には、ＬＥＤ５０を外部に露出させるＬＥＤ窓８２５ａが形成されている。また、カバー８２ａは、ハンドル８５ａが図８（ａ）のＸ軸方向に移動できるように露出窓８２４ａの下方にスペース８２７ａを確保している。
【００７１】
器体８０ａは、図７に示すボディ８１ａの係止孔８１２とカバー８２ａの係止片８２２ａとが係止することによって、プッシュスイッチ４ｂ及びプッシュスイッチ付ボリューム６５ａを、２つの押しボタン４０ａ，６５０ａの押駆動方向が同一方向となるように収納する。
【００７２】
さらに、調光スイッチ１ｄは、プッシュスイッチ４ｂ及びプッシュスイッチ付ボリューム６５ａを含む基板ブロック８３ａと、基板ブロック８３ａを覆うトライアックブロック８４ａと、プッシュスイッチ４ｂ及びプッシュスイッチ付ボリューム６５ａの前面側に設けられたハンドル８５ａと、プッシュスイッチ付ボリューム６５ａの押しボタン６５０ａとハンドル８５ａの操作面部８５０ａとの間に設けられたばね８６ａとを器体８０ａに収納して備えている。
【００７３】
基板ブロック８３ａはプリント基板８３０ａを備えている。このプリント基板８３０ａには、プッシュスイッチ４ｂ及びプッシュスイッチ付ボリューム６５ａのそれぞれの押しボタン４０ａ，６５０ａが同一の押駆動方向（図７のＸ軸方向）となるように、プッシュスイッチ４ｂ及びプッシュスイッチ付ボリューム６５ａが実装されている。
【００７４】
ハンドル８５ａは、図８（ａ）に示すように、押しボタン６５０ａの押駆動方向（図８（ａ）の上下方向）で一部が上記押しボタン６５０ａと対向する円板状の操作面部８５０ａと、操作面部８５０ａの外周縁から下方に延設された円筒状の側面部８５１ａと、側面部８５１ａの下端から外方に延設された円環状のスカート部８５２ａと、操作面部８５０ａからプッシュスイッチ付ボリューム６５ａの固定軸部６５１ａの周囲に向かって延設された軸受け８５４ａとを備えている。
【００７５】
また、操作面部８５０ａの中の押しボタン６５０ａと対向する位置には、ばね８６ａを収納する収納部８５５ａが設けられている。この収納部８５５ａには、外周が円状となる凹部８５６ａが形成され、凹部８５６ａの底面から円柱状の突出部８５７ａが下方に突出して設けられている。
【００７６】
さらに、ハンドル８５ａは、スカート部８５２ａの外周縁から延設され押しボタン４０ａの押駆動方向（図８（ａ）の上下方向）で一部が押しボタン４０ａと対向する断面Ｕ字状のハンドル側リブ８５３ａを備えている。ハンドル側リブ８５３ａは、スカート部８５２ａから延設された内側面部８７０と、内側面部８７０の下端から外方に延設された底面部８７１と、底面部８７１の外周端から上方に延設された外側面部８７２と、内側面部８７０の外面側において等間隔で外方に突出して設けられた上下方向に細長い４つの突出部８７３，・・・（図９参照）とを備えている。このハンドル側リブ８５３は、図８（ｂ）に示すように、４つの突出部８７３，・・・のそれぞれの先端で器体側リブ８２３ａの内周面と接触する。つまり、ハンドル側リブ８５３ａは器体側リブ８２３ａの外周面と面接触し、器体側リブ８２３ａの内周面と４箇所で線接触して挟持している。なお、突出部８７３の数は４つに限定されるものではなく、用途に応じて適宜設定されるものである。
【００７７】
このような構造のハンドル８５ａは、図８（ａ）に示すように、操作面部８５０ａがカバー８２ａの前面部８２０ａから外部に露出するように器体８０ａに収納され、使用者による押駆動方向（図８（ａ）の下方向）の押操作によって押しボタン４０ａ，６５０ａに対して押駆動する。なお、ハンドル８５ａによって押駆動された場合に、プッシュスイッチ４ｂがオン状態になるときにプッシュスイッチ付ボリューム６５ａがオフ状態になり、プッシュスイッチ４ｂがオフ状態になるときにプッシュスイッチ付ボリューム６５ａがオン状態になるように、プッシュスイッチ４ｂ及びプッシュスイッチ付ボリューム６５ａを事前に調整しておく。
【００７８】
次に、実施形態５に係る調光スイッチ１ｄの動作について、ばね８６ａを備えていない場合とともに図８を用いて説明する。なお、プッシュスイッチ４ｂ及びプッシュスイッチ付ボリューム６５ａにおける押しボタン４０ａ，６５０ａの操作ストロークは同じ距離である。まず、ばね８６ａを備えていない場合、通常時においてハンドル８５ａの操作面部８５０ａとプッシュスイッチ付ボリューム６５ａの押しボタン６５０ａとは当接しているが、ハンドル８５ａのハンドル側リブ８５３ａとプッシュスイッチ４ｂの押しボタン４０ａとは離隔している。このような状態でハンドル８５ａに押操作を行うと押しボタン６５０ａが押駆動し、さらに押操作を行うと押しボタン６５０が完全に押された状態となる。このとき、プッシュスイッチ４ｂの押しボタン４０ａも押駆動していくが、通常時にハンドル側リブ８５３ａと離隔しているので、押しボタン６５０ａが完全に押された状態であっても、押しボタン４０ａは必ずしも完全に押された状態とならない可能性がある。このため、プッシュスイッチ４ｂの電気的な接続の開閉が切り替わらないという事態が発生する。
【００７９】
これに対して、実施形態５に係る調光スイッチ１ｄのようにばね８６ａを備えている場合、図８（ａ）に示すように、通常時においてハンドル８５ａがばね８６ａの付勢力によって上方に位置している。つまり、ハンドル８５ａの操作面部８５０ａとばね８６ａの上端とが当接し、プッシュスイッチ付ボリューム６５ａの押しボタン６５０ａとばね８６ａの下端とが当接している。このとき、ハンドル８５ａのスカート部８５２ａとプッシュスイッチ４ｂの押しボタン４０ａとは離隔している。このような状態でハンドル８５ａに図８（ａ）の下向きに押操作を行うと、最初、ハンドル８５ａがばね８６ａの付勢力に逆らって下方向に駆動するものの、ばね８６ａが縮むことによって押しボタン６５０ａが押駆動されない、又はばね８６ａを備えていない場合と比べて押駆動される距離が短い。さらに押操作を行うと、押しボタン６５０が押駆動されて完全に押された状態となる。一方、押しボタン４０ａは押しボタン６５０ａが押駆動される前からハンドル側リブ８５３ａによって押駆動されるので、押しボタン６５０ａが完全に押されたときには完全に押された状態となる。これにより、プッシュスイッチ４ｂの電気的な接続の開閉を確実に切り替えることができる。
【００８０】
以上、実施形態５によれば、プッシュスイッチ付ボリューム６５ａのプッシュスイッチ機能を電源スイッチとして用いることができない場合であっても、電源スイッチとしてプッシュスイッチ４ｂを用い、ハンドル８５ａへの押操作によってプッシュスイッチ４ｂの電気的な接続の開閉を切り替えることができる。
【００８１】
また、ばね８６ａを備えることによって、プッシュスイッチ４ｂの押しボタン４０ａの操作ストロークがプッシュスイッチ付ボリューム６５ａの押しボタン６５０ａと同じであっても、プッシュスイッチ４ｂの電気的な接続の開閉を確実に切り替えることができる。
【００８２】
さらに、ハンドル８５ａが、ばね８６ａの軸受け８５４ａ及び収納部８５５ａを備えることによって、使用者がハンドル８５ａを用いてプッシュスイッチ付ボリューム６５ａの押しボタン６５０ａを押したときに、ハンドル８５ａのがたつきを低減することができ、端押しを確実に行うことができる。また、プッシュスイッチ付ボリューム６５ａの固定軸部６５１ａから離れた位置にハンドル側リブ８５３ａ及び器体側リブ８２３ａを備えることによって、上記と同様にハンドル８５ａのがたつきをさらに低減することができ、端押しをさらに確実に行うことができるとともに、ハンドル８５ａを傾かないようにすることができる。
【００８３】
また、ハンドル側リブ８５３ａが器体側リブ８２３ａの内周面と線接触し、器体側リブ８２３ａの内周面と面接触する場合と比べて接触面積を小さくすることによって、ハンドル８５ａと器体８０ａとの間に発生する摩擦を低減することができるので、使用者によるハンドル８５ａの操作を滑らかにすることができる。
【００８４】
なお、実施形態５の変形例として、ハンドル８５ａのハンドル側リブ８５３ａが突出部８７３を備えるのではなく、器体側リブ８２３ａが突出部を備えてもよい。このような構成であっても、実施形態５と同様に、使用者によるハンドル８５ａの操作を滑らかにすることができる。
【００８５】
また、実施形態３〜５の変形例として、ＳＢＳ６に代えて実施形態２と同様のダイアック６ａを備えてもよい。このような構成であっても、実施形態３〜５と同様の効果を奏するとともに、対照電圧発生回路６３（図１参照）を必要としないので、ＳＢＳ６を備える場合と比べて回路構成を簡単にすることができる。
【００８６】
なお、実施形態１〜５の変形例として、１組の抵抗３の抵抗は２個に限定されるものではなく、１個であってもよいし３個以上であってもよい。また、並列接続に限定されるものではなく、直列接続であってもよいし並列接続と直列接続の両方を用いてもよい。このような構成であっても実施形態１〜５と同様の効果を奏する。
【００８７】
また、実施形態１〜５の他の変形例として、ボリューム６１１，６１２は２個に限定されるものではなく、１個であってもよいし３個以上であってもよい。また、ボリューム６１１，６１２は並列接続に限定されるものではなく、直列接続であってもよい。このような構成であっても実施形態１〜５と同様の効果を奏する。
【００８８】
さらに、実施形態１〜５の他の変形例として、トライアック２に代えて単方向のサイリスタを備えてもよい。このような構成であっても実施形態１〜５と同様の効果を奏する。
【図面の簡単な説明】
【００８９】
【図１】本発明の実施形態１の回路図である。
【図２】調光スイッチの動作を示すものであって、（ａ）が従来例の調光スイッチの波形図、（ｂ）が本発明の実施形態１に係る調光スイッチの波形図である。
【図３】本発明の実施形態２の回路図である。
【図４】本発明の実施形態３に係る調光スイッチの要部の回路図である。
【図５】本発明の実施形態４に係る調光スイッチの分解斜視図である。
【図６】同上に係る調光スイッチの要部であって、（ａ）が通常時の断面図、（ｂ）がハンドル操作時の断面図である。
【図７】本発明の実施形態５に係る調光スイッチの分解斜視図である。
【図８】同上に係る調光スイッチであって、（ａ）が断面図、（ｂ）が（ａ）のＡ−Ａ断面図である。
【図９】同上に係る調光スイッチのハンドルの斜視図である。
【図１０】従来例の回路図である。
【符号の説明】
【００９０】
１，１ａ〜１ｄ  調光スイッチ
１０  主回路
１１  弱電回路
２  トライアック
３  １組の抵抗
４  電源スイッチ
５０  ＬＥＤ
６  ＳＢＳ
６１，６１ａ  時定数回路
６１０  コンデンサ
６１１，６１２  ボリューム
ＡＣ  交流電源
Ｌ  照明負荷
【図１】
2008053189.tif 000003
【図２】
2008053189.tif 000004
【図３】
2008053189.tif 000005
【図４】
2008053189.tif 000006
【図５】
2008053189.tif 000007
【図６】
2008053189.tif 000008
【図７】
2008053189.tif 000009
【図８】
2008053189.tif 000010
【図９】
2008053189.tif 000011
【図１０】
2008053189.tif 000012